(57)【要約】【課題】裁縫に必要な道具類は、縫い針、まち針、糸巻、リール糸巻、糸巻、は小さく、また尖ったものが多く、一生懸命作業をして針が紛失したり、何が何処にあるのか分からなくなってしまうことは、珍しくない。能率の向上のためと、安全のために必要なものは一括して一つにまとめることが出来る裁縫用道具スタンドを提供する。【解決手段】合成樹脂を素材として、縦に裁縫用道具スタンド縦柱を、丸棒状にして上部には円盤状クッション置き、その上に、上部針山クッションを設け、裁縫用道具スタンド縦柱の下部には、回転式基盤を設け、その表面には、下部針山クッションを設け、縦の裁縫用道具スタンド縦柱の、正面、背面、右側面、左側面にも３個以上の複数個の糸巻保管棒を縦に斜め状に設けた。下部回転基盤は、床面に接している箇所には、ゴム製ずれ防止を複数個設け、ずれない構造にした事を特徴とする。【選択図】図８
2019042269.tif 000002
【特許請求の範囲】
【請求項１】
合成樹脂を素材として縦に裁縫用道具スタンド縦柱（１）を、丸棒状にして上部には円盤状クッション置き（３）と、その上に、布製上部針山クッション（４）を設け、その中心部にも上部針山クッション中央（４−１）を設け、裁縫用道具スタンド縦柱（１）の下部には、回転式基盤（５）を設け、前記回転式基盤（５）の上には、布製下部針山クッション（６）を輪状に設け、中心部の回転式基盤（５）に、大きい糸巻用保管棒（２−１）を複数個斜め状に設け、縦の裁縫用道具スタンド縦柱（１）の、正面、背面、右側面、左側面にも３個以上の複数個の、糸巻保管棒（２）を縦に斜め状に設け、下部回転基盤（５）は、床面に接している箇所には、ゴム製ずれ防止（５−１）を複数個設けて、ずれない構造にして、回転自在に回して保管内容を確認することができる構造にして、下部回転式基盤分解装置（５−２）から外して、上下に中を分解することが出来ることを特徴とする裁縫用道具スタンド。
【請求項２】
裁縫用道具スタンドの素材は、合成樹脂を素材としているが、上部針山クッション（４）、針山クッション（４−１）、下部針山クッション（６）、ゴム製ずれ防止（５−１）以外は、金属または木材を使用することが出来る請求項１記載の裁縫用道具スタンド。
【発明の詳細な説明】
【技術分野】
【０００１】
縫い物に必要な、縫い針、まち針、糸巻を分かりやすいように一式をまとめて置くことが出来る縫い物道具スタンドに関する。
【背景技術】
【０００２】
縫い物に必要な、道具類は縫い針、まち針を始め細く小さな物が多く扱いを間違うと危険なこともある。
特開２００５-０６６３５７号公報（糸通しが容易に行える機能と構造を加えた裁縫道具と医療用針）に開示されているが、構造の違いが大きい。
【先行技術文献】
【特許文献】
【０００３】
【特許文献１】特開２００５-０６６３５７号公報
【発明の概要】
【発明が解決しようとする課題】
【０００４】
裁縫に必要な道具類は、縫い針、まち針、糸巻、リール糸巻、糸巻、は小さく、また尖ったものが多く、一生懸命作業をして針が紛失したり、何が何処にあるのか分からなくなってしまうことは、珍しくない。
また、縫い針に糸を通したまま何本も目の前に置いているうちに、糸が絡み大変苦労をする。能率の向上のためと、安全のために必要なものは一括して一つにまとめ、必要が生じたら直ぐ使用できる整理の仕方が重要であり、これは何とか解決しなければならない課題である。
【課題を解決するための手段】
【０００５】
課題を解決するために本発明は以下の構成とした。
素材は合成樹脂を使用して、縦に裁縫用道具スタンド縦柱（１）を、丸棒状にして上部には円盤状クッション置き（３）と、その上に、布製上部針山クッション（４）を設け、その中心部にも上部針山クッション中央（４−１）を設けた。
【０００６】
合成樹脂を使用した裁縫用道具スタンド縦柱（１）の下部には、回転式基盤（５）を設け、その表面には、輪状に布製下部針山クッション（６）を設けた。（図１）
【０００７】
合成樹脂を素材とした、縦の裁縫用道具スタンド縦柱（１）の、正面、背面、右側面、左側面にそれぞれ縦に斜め状にして糸巻保管棒（２）を３個以上の複数個設け、布製下部針山クッション（６）の中心部にある、下部回転基盤（５）に大きい糸巻用保管棒（２−１）を縦に斜め状に複数個設けた。（図１）
【０００８】
下部回転基盤（５）は、床面に接している箇所には、ゴム製ずれ防止（５−１）を複数個設けているため、ずれない構造であり、回転自在に回して保管内容を確認することができる。
また、下部回転式基盤分解装置（５−２）から外して中を分解することが出来る。
（図２、図３）
【発明の効果】
【０００９】
本発明は，以下の効果を有する。
１．縫い針、まち針が散乱して怪我をするような心配はない。
２．小さいものが多く自分の周りにあると、紛失して中々見つからず能率が上がらないし、イライラするのは一般的であるが、常に整理整頓されているため能率が向上する。
３．複数本の縫い針にそれぞれ糸を通して、作業中に糸と糸が絡み合い困難することは裁縫用道具スタンドの上下にある布製クッションに差し込んで陳列してあるため困難がなくなる。特に上の針山に刺した針に通した糸は、下方に垂れ下がるためお互いに絡み合うことがない。
４．ミシンの糸巻きの糸と、ボビンに巻いた同じ糸を一緒に保管出来るので、上糸と下糸を間違えることがない。
【図面の簡単な説明】
【００１０】
【図１】裁縫用道具スタンド正面図
【図２】裁縫用道具スタンド下部説明図
【図３】裁縫用道具スタンド底面図
【図４】裁縫用道具スタンド使用中の平面図
【図５】裁縫用道具スタンド使用中の下部拡大説明図
【図６】裁縫用道具スタンド使用中の上部拡大説明図
【図７】裁縫用道具スタンド使用中の正面図
【図８】裁縫用道具スタンド使用中の斜視図
【図９】裁縫用道具スタンドの下部回転式基盤分解説明図
【発明を実施するための形態】
【００１１】
以下本発明の実施形態について説明する。
合成樹脂を素材として、縦に裁縫用道具スタンド縦柱（１）を、丸棒状にして上部には円盤状クッション置き（３）と、その上に、布製上部針山クッション（４）を設け、その中心部にも上部針山クッション中央（４−１）を設けた。
従って、上部に縫い針（７）、まち針（８）を刺して整理整頓が出来る。
【００１２】
合成樹脂を素材とした裁縫用道具スタンド縦柱（１）の下部には、回転式基盤（５）を設けその上には、布製下部針山クッション（６）を設けた。このため、下部にも縫い針（７）、まち針（８）を刺して整理整頓が出来るため、困難がなくなる。
また、複数本の縫い針にそれぞれ糸を通して、作業中に糸と糸が絡み合いをして困難することは裁縫用道具スタンドの上下にある布製クッションに差し込んで陳列してあるため糸からみの困難がなくなる。
【００１３】
合成樹脂を素材とした縦の裁縫用道具スタンド縦柱（１）の、正面、背面、右側、左側にそれぞれ３個以上の複数個、縦に斜め状にして糸巻保管棒（２）を設けた。
下部回転式基盤（５）の上に、布製下部針山クッション（６）を輪状にして、中心部に、大きい糸巻用保管棒（２−１）を縦に斜め状に複数個設けた。
沢山の糸巻き（１０）と、リール糸巻が保管出来るため、作業中整理整頓が徹底しているため、作業が容易にできる。
【００１４】
下部回転基盤（５）は、床面に接している箇所には、ゴム製ずれ防止（５−１）を設けているため、ずれない構造であり、スタンドを回転自在に回して保管内容を確認することができる。
また、下部回転式基盤分解装置（５−２）から外して、上下に中を分解することが出来る。
【００１５】
素材は、合成樹脂で構成しているが、布製上部針山クッション（４）、上部針山クッション中央（４−１）、下部針山クッション（６）、ゴム製ずれ防止（５−１）以外は、金属または木材を使用することが出来る。
【００１６】
縫い針（７）、まち針（８）、リール糸巻（９）、糸巻（１０）、糸（１１）は既存の物品である。
【符号の説明】
【００１７】
（１）    裁縫用道具スタンド縦柱
（２）    糸巻保管棒
（２−１）大きい糸巻用保管棒
（３）    上部円盤状クッション置き
（４）    上部針山クッション
（４−１）上部針山クッション中央
（５）    下部回転式基盤
（５−１）ゴム製ずれ防止
（５−２）下部回転式基盤分解装置
（６）    下部針山クッション
（７）    縫い針
（８）    まち針
（９）    リール糸巻
（１０）    糸巻
（１１）    糸
【図１】
2019042269.tif 000003
【図２】
2019042269.tif 000004
【図３】
2019042269.tif 000005
【図４】
2019042269.tif 000006
【図５】
2019042269.tif 000007
【図６】
2019042269.tif 000008
【図７】
2019042269.tif 000009
【図８】
2019042269.tif 000010
【図９】
2019042269.tif 000011
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
裁縫用道具スタンドの素材は、布製上部針山クッション（４）、上部針山クッション中央（４−１）、布製下部針山クッション（６）、ゴム製ずれ防止（５−１）以外は、合成樹脂であり、縦に裁縫用道具スタンド縦柱（１）を、丸棒状にして上部には円盤状クッション置き（３）と、その上に、布製上部針山クッション（４）を設け、その中心部にも上部針山クッション中央（４−１）を設け、裁縫用道具スタンド縦柱（１）の下部には、回転式基盤（５）を設け、前記回転式基盤（５）の上には、下部針山クッション置き（６）と、その上に布製下部針山クッション（６−１）を輪状に設け、中心部側には、糸巻保管棒（２）を複数個斜め状に設け、縦の裁縫用道具スタンド縦柱（１）の、正面、背面、右側面、左側面にも３個以上の複数個の、糸巻保管棒（２）を縦に斜め状に設け、下部回転基盤（５）は、床面に接している箇所には、ゴム製ずれ防止（５−１）を複数個設けて、ずれない構造にして、回転自在に回るようにして、保管内容を確認することができる構造にして、下部回転式基盤分解装置（５−２）から外して、上下に中を分解することが出来ることを特徴とする裁縫用道具スタンド。
【請求項２】
上部針山クッション（４）、針山クッション（４−１）、下部針山クッション（６）、
ゴム製ずれ防止（５−１）以外の裁縫用道具スタンドの素材は、合成樹脂に代え
て金属または木材である請求項１記載の裁縫用道具スタンド。